(57)【要約】【課題】消費電力は十分に低減できる水装置を提供する。【解決手段】浄水器は、原水が流れる水流路管１０内に配置された第１電源スイッチ１と、第２電源スイッチ２と、マイコン３とを備えている。第１電源スイッチ１は、電池５に接続された第１金属棒１ａと、第２金属棒１ｂとからなる一方、第２電源スイッチ２は、電池５に接続されたドレイン端子２ｂと、ソース端子２ｃとを有する。第１電源スイッチ１の第２金属棒１ｂと、第２電源スイッチ２のソース端子２ｃとは、マイコン３に接続されている。マイコン３は、第１金属棒１ａと第２金属棒１ｂとの間が非導通になったとき、第１金属棒１ａと第２金属棒１ｂとの間が非導通になってから予め設定された時間、第２電源スイッチ２のオンを保持した後、第２電源スイッチ２をオフにする。【選択図】図２
2013240772.tif 000002
【特許請求の範囲】
【請求項１】
水が流れる水流路管内に配置されていて、電源に接続された第１電極と、第２電極とからなる第１電源スイッチと、
上記電源に接続された第１端子と、第２端子とを有する第２電源スイッチと、
上記第１電源スイッチの第２電極と、上記第２電源スイッチの第２端子とに接続されたマイコンと
を備え、
上記マイコンは、上記第１電極と上記第２電極との間が非導通になったとき、上記第１電極と上記第２電極との間が非導通になってから予め設定された時間、上記第２電源スイッチのオンを保持した後、上記第２電源スイッチをオフにすることを特徴とする水装置。
【請求項２】
請求項１に記載の水装置において、
上記水流路管内に水が流れて、上記第１電極と上記第２電極との間が導通になったとき、上記マイコンが起動されることを特徴とする水装置。
【請求項３】
請求項２に記載の水装置において、
上記マイコンが起動された後、上記第２電源スイッチがオンになることを特徴とする水装置。
【請求項４】
請求項１から３までのいずれか一項に記載の水装置において、
上記マイコンによって情報が書き込まれる記憶装置を備えることを特徴とする水装置。
【発明の詳細な説明】
【技術分野】
【０００１】
本発明は、水を使用する水装置に関する。
【背景技術】
【０００２】
従来、水装置としては、特開２００６−２５５７０４号公報(特許文献１)に開示された浄水器がある。この浄水器は、通水開始時に浄水器使用開始信号を発し、通水終了時に浄水器使用終了信号を発する水検知手段と、積算使用流量および積算使用時間のうち少なくとも一つを表示するための表示回路と、浄水器使用開始信号により、積算使用流量および積算使用時間のうち少なくとも一つを積算し、浄水器使用終了信号により積算を中止して積算値を保持する信号処理回路と、この積算に用いるパルス信号を発生させるクロック信号発生回路とを備えている。
【０００３】
また、上記浄水器は、浄水器使用開始信号が発生したとき、水検知手段、信号処理回路、表示回路およびクロック信号発生回路に電力を供給する一方、浄水器使用終了信号が発生したとき、信号処理回路および水検出手段のみに電力を供給するための切り替え回路を備えて、消費電力の低減を図っている。
【先行技術文献】
【特許文献】
【０００４】
【特許文献１】特開２００６−２５５７０４号公報
【発明の概要】
【発明が解決しようとする課題】
【０００５】
ところが、上記従来の浄水器では、浄水器使用終了信号が発生したとき、電力が信号処理回路および水検出手段に供給されるので、消費電力は十分に低減できていないという問題がある。
【０００６】
そこで、本発明の課題は、消費電力は十分に低減できる水装置を提供することにある。
【課題を解決するための手段】
【０００７】
上記課題を解決するため、本発明の水装置は、
水が流れる水流路管内に配置されていて、電源に接続された第１電極と、第２電極とからなる第１電源スイッチと、
上記電源に接続された第１端子と、第２端子とを有する第２電源スイッチと、
上記第１電源スイッチの第２電極と、上記第２電源スイッチの第２端子とに接続されたマイコンと
を備え、
上記マイコンは、上記第１電極と上記第２電極との間が非導通になったとき、上記第１電極と上記第２電極との間が非導通になってから予め設定された時間、上記第２電源スイッチのオンを保持した後、上記第２電源スイッチをオフにすることを特徴としている。
【０００８】
上記構成によれば、上記水流路管内に水が流れなくなると、第１電極と第２電極との間が非導通になる。このとき、上記マイコンは、第１電極と第２電極との間が非導通になってから予め設定された時間、第２電源スイッチのオンを保持した後、第２電源スイッチをオフにする。これにより、上記電源から第２電源スイッチを介してマイコンに供給される電力を必要最小限に抑えて、消費電力を十分に低減できる。
【０００９】
また、上記水流路管内に水が流れている場合、第１電極と第２電極との間が導通になるので、マイコンは第１電極と第２電極との間の導通に基づいて、水流路管内に水が流れているか否を判定できる。すなわち、専用の流量センサを用いなくても、水流路管内の通水を簡単な安価な構成で検出できる。
【００１０】
また、上記水装置の構成を簡単にできるので、装置の巨大化、コスト高を防ぐことができる。
【００１１】
一実施形態の水装置では、
上記水流路管内に水が流れて、上記第１電極と上記第２電極との間が導通になったとき、上記マイコンが起動される。
【００１２】
上記実施形態によれば、上記水流路管内に水が流れて、第１電極と第２電極との間が導通になったとき、マイコンが起動されるので、マイコンは水流路管内の水に関する情報を確実に計測することができる。
【００１３】
一実施形態の水装置では、
上記マイコンが起動された後、上記第２電源スイッチがオンになる。
【００１４】
上記実施形態によれば、上記マイコンが起動された後、第２電源スイッチがオンになるので、水流路管内に水が流れなくなって、第１電極と第２電極との間が非導通になっても、マイコンは動作し続けることができる。
【００１５】
一実施形態の水装置は、
上記マイコンによって情報が書き込まれる記憶装置を備える。
【００１６】
上記実施形態によれば、上記マイコンによって情報が書き込まれる記憶装置を備えるので、マイコンが計測した情報を記憶装置に書き込んで確実に保持できる。
【００１７】
また、上記第１電極と第２電極との間が非導通になっても、第１電極と第２電極との間が非導通になってから予め設定された時間、第２電源スイッチのオンが保持されるので、マイコンは記憶装置に書き込むべき情報の計測、保持を確実に行うことができる。
【００１８】
特開２００６−２５５７０４号公報の水装置において、上記問題を解決するため、浄水器使用終了信号が発生したとき、つまり、通水が停止したとき、信号処理回路および水検出手段にも電力が供給されないようにした場合、通水の停止に伴い、電源が信号処理回路に供給されなくなるので、積算使用流量や積算使用時間といった情報の計測、保持ができなくなってしまう。
【発明の効果】
【００１９】
本発明の水装置は、水が流れる水流路管内に配置されていて、電源に接続された第１電極と、第２電極とからなる第１電源スイッチと、電源に接続された第１端子と、第２端子とを有する第２電源スイッチと、第１電源スイッチの第２電極と、第２電源スイッチの第２端子とに接続されたマイコンと、マイコンによって情報が書き込まれる記憶装置とを備え、マイコンは、第１電極と第２電極との間が非導通になったとき、第１電極と第２電極との間が非導通になってから予め設定された時間、第２電源スイッチのオンを保持した後、第２電源スイッチをオフにするので、電源から第２電源スイッチを介してマイコンに供給される電力を必要最小限に抑えて、消費電力を十分に低減できる。
【００２０】
また、上記マイコンは第１電極と第２電極との間の導通に基づいて、水流路管内に水が流れているか否を判定できるので、専用の流量センサを使用しないようにして、構成を簡単、安価にできる。
【００２１】
また、上記水装置の構成を簡単にできるので、装置の巨大化、コスト高を防ぐことができる。
【図面の簡単な説明】
【００２２】
【図１】図１は本発明の一実施形態の浄水器のブロック図である。
【図２】図２は上記水装置の浄水器の回路図である。
【発明を実施するための形態】
【００２３】
以下、本発明の水装置を図示の実施の形態により詳細に説明する。
【００２４】
図１は、本発明の一実施形態の浄水器の構成を示すブロック図である。
【００２５】
上記浄水器は、第１電源スイッチ１と、第２電源スイッチ２と、マイコン３と、記憶装置の一例としてのＥＥＰＲＯＭ(Electrically Erasable Programmable Read-Only Memory)４とを備えている。このマイコン３には、電源の一例としての電池５から第１電源スイッチ１または第２電源スイッチ２を介して電力供給を受けることができるようになっている。また、マイコン３は、リセット回路６や発信回路７からの信号を受けたり、第２電源スイッチ２、ＥＥＰＲＯＭ４、表示素子８およびブザー９を制御したりする。
【００２６】
図２は上記浄水器の回路図である。
【００２７】
上記第１電源スイッチ１は、電池５のプラス側電極５ａに接続された第１金属棒１ａと、この第１金属棒１ａに対して予め設定された間隔を空けて設けられた第２金属棒１ｂとからなっている。この第１金属棒１ａおよび第２金属棒１ｂの大部分は水流路管１０内に挿入されている。これにより、水の一例としての原水が水流路管１０内を流れたときには、第１金属棒１ａと第２金属棒１ｂとの間を導通状態となり、また、原水が水流路管１０内を流れていなときには、第１金属棒１ａと第２金属棒１ｂとの間を非導通状態となるようにしている。また、図示しないが、水流路管１０の一端は例えば水道水の原水管に水栓を介して接続されている一方、水流路管１０の他端は浄水部に接続されている。上記水栓を開くと、原水が水流路管１０内を流れて上記浄水部に流入する。これにより、上記原水を上記浄水部で浄化できるようになっている。なお、第１金属棒１ａは第１電極の一例であり、第２金属棒１ｂは第２電極の一例である。
【００２８】
上記第２電源スイッチ２は、Ｐチャネル型ＭＯＳＦＥＴ(Metal Oxide Semiconductor Field Effect Transistor)からなり、ゲート端子２ａ、ドレイン端子２ｂおよびソース端子２ｃを有している。このゲート端子２ａはマイコン３のＳＷＢ端子３０４に接続されている。また、ドレイン端子２ｂは、第１電源スイッチ１の第１金属棒１ａと電池５のプラス側電極５ａとの間のラインに接続されている。また、ソース端子２ｃはマイコン３のＶＤＤ端子３０１に接続されている。なお、ドレイン端子２ｂは第１端子の一例であり、ソース端子２ｃは第２端子の一例である。
【００２９】
上記マイコン３は、水流路管１０内に水が流れて、第１金属棒１ａと上記第２金属棒１ｂとの間が導通になったとき、その導通に応じて起動するものである。また、マイコン３は、ＳＷＢ端子３０４やＶＤＤ端子３０１の他に、ＳＣＬ端子３０２、ＳＤＡ端子３０３、ＷＣＫ端子３０５、ＲＥＳＥＴ端子３０６、ＢＺ端子３０７、ＸＣＩＮ端子３０８、ＸＣＯＵＴ端子３０９、ＶＳＳ端子３１０、ＣＯＭ端子３１１およびＳＥＧ端子３１２を有している。このマイコン３は、ＷＣＫ端子３０５に供給される電力に基づいて、原水が水流路管１０内を流れているか否かを判定する通水判定部３１３も有している。また、マイコン３は、第１金属棒１ａと第２金属棒１ｂとの間が導通になったとき、第２電源スイッチ２をオンにする一方、第１金属棒１ａと第２金属棒１ｂとの間が非導通になったとき、第１金属棒１ａと第２金属棒１ｂとの間が非導通になってから予め設定された時間、第２電源スイッチ２のオンを保持した後、第２電源スイッチ２をオフにする。また、マイコン３は、例えば積算使用流量や積算使用時間などの情報をＥＥＰＲＯＭ４に書き込んだり、その情報をＥＥＰＲＯＭ４から取り出して表示素子８に表示させたりする。
【００３０】
上記第１電源スイッチ１の第１金属棒１ａと第２電源スイッチ２のドレイン端子２ｂとの間のラインは、コンデンサ１０１を介して、マイコン３のＶＳＳ端子３１０と電池５のマイナス側電極５ｂとの間のラインに接続されている。
【００３１】
上記第１電源スイッチ１の第２金属棒１ｂは、ダイオード１０２、抵抗１０３および抵抗１０４を介して、マイコン３のＶＳＳ端子３１０と電池５のマイナス側電極５ｂとの間のラインに接続されている。
【００３２】
上記ダイオード１０２と抵抗１０３との間のラインは、第２電源スイッチ２のソース端子２ｃとマイコン３のＶＤＤ端子３０１との間のラインに接続されていると共に、抵抗１０５を介して、マイコン３のＲＥＳＥＴ端子３０６にも接続されている。
【００３３】
また、上記ダイオード１０２と抵抗１０３との間のラインには、コンデンサ１０６の一端も接続されている。このコンデンサ１０６の他端は、マイコン３のＶＳＳ端子３１０と電池５のマイナス側電極５ｂとの間のラインに接続されている。
【００３４】
上記抵抗１０３と抵抗１０４との間のラインには、抵抗１０７およびコンデンサ１０８のそれぞれの一端を接続している。この抵抗１０７の他端はマイコン３のＷＣＫ端子３０５に接続されている。一方、コンデンサ１０８の他端は、マイコン３のＶＳＳ端子３１０と電池５のマイナス側電極５ｂとの間のラインに接続されている。
【００３５】
上記第２電源スイッチ２は、マイコン３が起動された後、マイコン３によってオンにされるものである。また、第２電源スイッチ２のソース端子２ｃとマイコン３のＶＤＤ端子３０１との間のラインには、電解コンデンサ１０９およびコンデンサ１１０のそれぞれの一端が接続されている。そして、電解コンデンサ１０９およびコンデンサ１１０のそれぞれの他端は、マイコン３のＶＳＳ端子３１０と電池５のマイナス側電極５ｂとの間のラインに接続されている。
【００３６】
上記ＥＥＰＲＯＭ４とマイコン３のＳＣＬ端子３０２との間のラインには、抵抗１１１、抵抗１１２およびコンデンサ１１３を設けている。また、抵抗１１２とコンデンサ１１３との間のラインは、抵抗１１４および抵抗１１５を介してマイコン３のＳＤＡ端子３０３に接続されている。
【００３７】
なお、図２において、１１６，１１７，１１８は抵抗、１１９，１２０はコンデンサ、１２１は発振子である。
【００３８】
上記構成の浄水器によれば、原水を浄化するため、上記水栓を開くと、原水が水流路管１０内を流れる。この原水により、第１金属棒１ａと第２金属棒１ｂとの間が導通する。その結果、マイコン３に電池５の電力を供給して、マイコン３を起動させることができる。
【００３９】
また、上記第１金属棒１ａと第２金属棒１ｂとの間が導通したとき、マイコン３は、第１金属棒１ａと第２金属棒１ｂとの間が導通になったとき、第２電源スイッチ２をオンにするので、マイコン３とＥＥＰＲＯＭ４への十分な電力供給を行うことができる。
【００４０】
また、上記水栓を閉じると、原水が水流路管１０内を流れなくなるので、第１金属棒１ａと第２金属棒１ｂとの間が非導通になる。このとき、マイコン３は、第１金属棒１ａと第２金属棒１ｂとの間が非導通になってから予め設定された時間、第２電源スイッチ２のオンを保持した後、第２電源スイッチ２をオフにする。したがって、第１金属棒１ａと第２金属棒１ｂとの間が非導通になってから予め設定された時間が経過した後は、マイコン３およびＥＥＰＲＯＭ４への消費電力をゼロにすることができて、消費電力を十分に低減できる。
【００４１】
また、上記原水が水流路管１０内を流れなくなって、第１金属棒１ａと第２金属棒１ｂとの間が非導通になっても、第１金属棒１ａと第２金属棒１ｂとの間が非導通になってから予め設定された時間は、第２電源スイッチ２のオンが保持されるので、マイコン３への電力供給が継続される。したがって、マイコン３は、例えば積算使用流量や積算使用時間などの情報の計測、保持を確実に行うことができる。
【００４２】
また、上記マイコン３は、ＷＣＫ端子３０５に供給される電力に基づいて、原水が水流路管１０内を流れているか否かを判定する通水判定部３１３を有しているので、通水の有無を検出するためだけの流量センサを水流路管１０に取り付けなくて済む。したがって、上記浄水器の大型化および高コスト化を防ぐことができる。
【００４３】
また、上記第１電源スイッチ１は第１金属棒１ａおよび第２金属棒１ｂからなるので、複雑な構造のメカスイッチに比べて、コスト削減効果が得られる。
【００４４】
また、上記水流路管１０内に水が流れて、第１金属棒１ａと上記第２金属棒１ｂとの間が導通になったとき、マイコン３が起動されるので、マイコン３は水流路管１０内の水に関する情報を確実に計測することができる。
【００４５】
また、上記マイコン３が起動された後、第２電源スイッチ２がオンになるので、水流路管１０内に水が流れなくなって、第１金属棒１ａと第２金属棒１ｂとの間が非導通になっても、マイコン３は動作し続けることができる。
【００４６】
上記実施形態では、第１金属棒１ａおよび第２金属棒１ｂの大部分を水流路管１０内に挿入していたが、第１金属棒１ａおよび第２金属棒１ｂの一部または全部は水流路管１０内に挿入するようにしてもよい。
【００４７】
上記実施形態において、接合型ＦＥＴ(Field Effect Transistor)などの他の電気スイッチを第２電源スイッチの一例として用いてもよい。
【００４８】
上記実施形態では、第１，第２金属棒１ａ，１ｂからなる第１電源スイッチ１を用いていたが、第１，第２金属片からなる第１電源スイッチを用いもよい。
【００４９】
上記実施形態では、第１，第２金属棒１ａ，１ｂからなる第１電源スイッチ１を用いていたが、金属以外の導電性材料(例えば導電性プラスチック)からなる第１，第２電極からなる第１電源スイッチを用いもよい。この場合、上記第１，第２電極の形状は棒状でも板状であってもよい。
【００５０】
上記実施形態では、ＥＥＰＲＯＭ４を記憶装置の一例として用いていたが、例えばＦｅＲＡＭ(Ferroelectric Random Access Memory)などの他の不揮発性メモリを記憶装置の一例として用いてもよいし、ハードディスクを記憶装置の一例として用いてもよい。
【００５１】
上記実施形態では、水装置は、ＥＥＰＲＯＭ４を備えていたが、ＥＥＰＲＯＭ４を備えないようにしてもよい。
【００５２】
上記実施形態の電池５は、使い捨て式電池であってもよいし、充電式電池であってもよい。
【００５３】
上記実施形態の電池５に換えて商用電源を電源の一例として用いてもよい。すなわち、第１金属棒１ａおよびドレイン端子２ｂに商用電源を接続するようにしてもよい。
【００５４】
上記実施形態では、浄水器に本発明を適用した一例について説明したが、水を使用する洗濯機や加熱調理器などにも本発明を適用できる。
【符号の説明】
【００５５】
１  第１電源スイッチ
１ａ  第１金属棒
１ｂ  第２金属棒
２  第２電源スイッチ
３  マイコン
４  ＥＥＰＲＯＭ
５  電池
１０  水流路管
【図１】
2013240772.tif 000003
【図２】
2013240772.tif 000004